(57)【要約】【課題】被干物を保持した状態での物干し枠体２の荷重に対する横架部材７の強度を効率的に得ることができるとともに、吊下部材５の姿勢変化を所定方向に沿って効率的に許容することのできる物干し器１を提供する。【解決手段】被干物を保持する物干し枠体２の枠部間に亘らせた横架部材７に、吊下フック４ａ、４ｂを備える吊下部材５が所定方向に沿って姿勢変化可能な状態で連結されている物干し器１において、横架部材７が縦長断面形状に構成されているとともに、吊下部材５が横架部材７に対して横軸芯Ｘ周りで揺動自在に枢着されている。【選択図】図３
2008301907.tif 000002
【特許請求の範囲】
【請求項１】
被干物を保持する物干し枠体の枠部間に亘らせた横架部材に、吊下フックを備える吊下部材が所定方向に沿って姿勢変化可能な状態で連結されている物干し器であって、
前記横架部材が縦長断面形状に構成されているとともに、前記吊下部材が前記横架部材に対して横軸芯周りで揺動自在に枢着されている物干し器。
【請求項２】
被干物を保持する物干し枠体の枠部間に亘らせた横架部材に、吊下フックを備える吊下部材が所定方向に沿って姿勢変化可能な状態で連結されているとともに、前記物干し枠体が、前記横架部材を挟み込む状態で上方側に折り畳み可能に構成されている物干し器であって、
前記横架部材が縦長断面形状に構成されているとともに、前記吊下部材が前記横架部材に対して横軸芯周りで揺動自在に枢着されている物干し器。
【請求項３】
前記吊下部材を揺動軸芯周りの所定姿勢に保持する姿勢保持手段が設けられているとともに、
前記姿勢保持手段を構成するのに、
前記横架部材には、前記吊下部材の揺動方向で間隔を空けた各所定位置に複数の被係止部が一体形成され、
前記吊下部材には、前記複数の被係止部の各々に選択的に係脱可能な姿勢保持用の係止部材が備えられている請求項１又は２記載の物干し器。
【請求項４】
前記被係止部が、前記係止部材の上方からの進入で係止状態を現出するように上方向きに開口する形態で形成された被係止凹部から構成されているとともに、
前記吊下部材には、前記係止部材の横移動を規制する状態で、且つ、係止部材の係脱操作用の縦移動を所定範囲内で許容する状態で係止部材を保持する縦長形状の係止部材保持孔が形成されている請求項３記載の物干し器。
【請求項５】
前記係止部材保持孔の横幅寸法が、前記係止部材の自重による下方移動を許容する寸法で構成されているとともに、
前記被係止凹部の開口寸法が、前記係止部材の自重による上方からの進入移動を許容する寸法で構成されている請求項４記載の物干し器。
【請求項６】
前記吊下部材が前記横架部材の長手方向中央部位に枢着されているとともに、
前記横架部材の長手方向中央部位をそれに隣接する両脇部位よりも縦寸法の大きな断面形状で構成することで、前記吊下部材の枢着部位を中心とする弧状の膨出部が横架部材の上面部に形成され、
前記複数の被係止凹部の各々が、前記係止部材保持孔の下端部に前記係止部材が位置するときに係止部材との係止状態を現出するように、前記弧状の膨出部に切欠き形成されている請求項４又は５記載の物干し器。
【発明の詳細な説明】
【技術分野】
【０００１】
本発明は、屋外や屋内において洗濯物などの被干物を干すために使用される物干し器に関し、詳しくは、被干物を保持する物干し枠体の枠部間に亘らせた横架部材に、吊下フックを備える吊下部材が所定方向に沿って姿勢変化可能な状態で連結されている物干し器に関する。
【背景技術】
【０００２】
この種の物干し器は、横架部材に設けられた吊下部材の姿勢変化を所定方向に沿って許容することで、物干し竿などの吊下対象物の種別やそれの配置部位などへの対応性を向上させたものである。
【０００３】
そして、従来、この種の物干し器としては、板材からなる横長断面形状の横架部材の長手方向中央部位に、吊下フックを備える吊棒（前記吊下部材の一例）が遊動状態で掛止固定されているとともに、吊棒を横架部材長手方向で倒動案内する案内溝を有する板材からなる横型断面形状の山形状の案内部材が、横架部材を補強する補強部材に兼用して横架部材に設けられたものが知られている（例えば、下記特許文献１参照）。
【０００４】
【特許文献１】特開昭５３−０４６８５７号公報
【発明の開示】
【発明が解決しようとする課題】
【０００５】
しかしながら、前記横架部材が横長断面形状で構成されている上記の如き従来の物干し器では、以下の問題がある。
【０００６】
（１）被干物を保持した状態での物干し枠体の荷重によって横架部材が撓み易いため、横架部材に変形や破損が生じ易い。また、横架部材の撓みにより吊下部材の姿勢変化を許容する連結構造に支障が生じて吊下部材の姿勢変化が不十分になる虞もある。
【０００７】
したがって、横架部材の撓みを抑止するための補強部材を設けたり、横架部材の質量を増大したりする必要が生じ、製作コストが嵩んでしまう。
【０００８】
（２）吊下部材の長手方向において横架部材と吊下部材との吊下部材長手方向での干渉長さが短いため、吊下部材の姿勢変化を所定方向に沿って許容する連結構造を構成するのが難しい。
【０００９】
したがって、横架部材に加えて姿勢変化許容用の案内部材などの別部材を設けたりする必要が生じ、製作コストが嵩んだり、連結構造が複雑化したりする。
【課題を解決するための手段】
【００１０】
本発明は、上述の実情に鑑みて為されたものであって、その主たる課題は、被干物を保持した状態での物干し枠体の荷重に対する横架部材の強度を効率的に得ることができるとともに、吊下部材の姿勢変化を所定方向に沿って効率的に許容することのできる物干し器を提供する点にある。
【００１１】
本発明の第１特徴構成は、物干し器に係り、その特徴は、
被干物を保持する物干し枠体の枠部間に亘らせた横架部材に、吊下フックを備える吊下部材が所定方向に沿って姿勢変化可能な状態で連結されている物干し器であって、
前記横架部材が縦長断面形状に構成されているとともに、前記吊下部材が前記横架部材に対して横軸芯周りで揺動自在に枢着されている点にある。
【００１２】
上記特徴構成によれば、横架部材が縦断面形状に構成されているから、上下方向での引張荷重に対する強度を効率的に得ることができる。また、縦長断面形状の横架部材に対して前記吊下部材が横軸芯周りで揺動自在に枢着されているから、横架部材に対する吊下部材の姿勢変化をシンプルな構造でもって効率的に許容することができる。
【００１３】
本発明の第２特徴構成は、物干し器に係り、その特徴は、
被干物を保持する物干し枠体の枠部間に亘らせた横架部材に、吊下フックを備える吊下部材が所定方向に沿って姿勢変化可能な状態で連結されているとともに、前記物干し枠体が、前記横架部材を挟み込む状態で上方側に折り畳み可能に構成されている物干し器であって、
前記横架部材が縦長断面形状に構成されているとともに、前記吊下部材が前記横架部材に対して横軸芯周りで揺動自在に枢着されている点にある。
【００１４】
上記特徴構成によれば、横架部材が縦断面形状に構成されているから、上下方向での引張荷重に対する強度を効率的に得ることができる。また、縦長断面形状の横架部材に対して前記吊下部材が横軸芯周りで揺動自在に枢着されているから、横架部材に対する吊下部材の姿勢変化をシンプルな構造でもって効率的に許容することができる。
【００１５】
しかも、横架部材の横幅を極力小さくすることができるから、その分、物干し枠体の折り畳み時の嵩幅を小さくすることができ、これにより、不使用時の収納性を効果的に向上させることができる。
【００１６】
本発明の第３特徴構成は、第１又は第２特徴構成の実施に好適な構成であり、その特徴は、
前記吊下部材を揺動軸芯周りの所定姿勢に保持する姿勢保持手段が設けられているとともに、
前記姿勢保持手段を構成するのに、
前記横架部材には、前記吊下部材の揺動方向で間隔を空けた各所定位置に複数の被係止部が一体形成され、
前記吊下部材には、前記複数の被係止部の各々に選択的に係脱可能な姿勢保持用の係止部材が備えられている点にある。
【００１７】
上記特徴構成によれば、横架部材に一体形成された被係止部と吊下部材に備えられた係止部材とをもって前記姿勢保持手段を構成することができるから、例えば、被係止部を有する別部材を横架部材に設ける場合に比べ、部品点数の少量化を図ることができて、製作コストの低廉化を効果的に達成することができる。
【００１８】
本発明の第４特徴構成は、第３特徴構成の実施に好適な構成であり、その特徴は、
前記被係止部が、前記係止部材の上方からの進入で係止状態を現出するように上方向きに開口する形態で形成された被係止凹部から構成されているとともに、
前記吊下部材には、前記係止部材の横移動を規制する状態で、且つ、係止部材の係脱操作用の縦移動を所定範囲内で許容する状態で係止部材を保持する縦長形状の係止部材保持孔が形成されている点にある。
【００１９】
上記特徴構成によれば、前記係止部材と前記被係止凹部との係止状態を現出して吊下部材の姿勢を保持するための姿勢保持操作として、前記係止部材保持孔に沿って前記係止部材を下方に移動させる操作（下動操作）を行うことになる。
【００２０】
したがって、吊下部材の姿勢保持操作に係止部材に生ずる重力を利用することができるから、その分、姿勢保持操作の操作性を効率的に向上させることができる。
【００２１】
また、係止部材と被係止凹部とが係止状態から離脱するのを係止部材に生じる重力を利用して抑止することができるから、姿勢保持状態を効果的に維持することができる。
【００２２】
本発明の第５特徴構成は、第４特徴構成の実施に好適な構成であり、その特徴は、
前記係止部材保持孔の横幅寸法が、前記係止部材の自重による下方移動を許容する寸法で構成されているとともに、
前記被係止凹部の開口寸法が、前記係止部材の自重による上方からの進入移動を許容する寸法で構成されている点にある。
【００２３】
上記特徴構成によれば、吊下部材の姿勢を保持するための姿勢保持操作のうち、前記下動操作を自動的に行うことができるから、その分、姿勢保持操作を簡略化することができて、姿勢保持操作の操作性を一層向上させることができる。
【００２４】
本発明の第６特徴構成は、第４又は第５特徴構成の実施に好適な構成であり、その特徴は、
前記吊下部材が前記横架部材の長手方向中央部位に枢着されているとともに、
前記横架部材の長手方向中央部位をそれに隣接する両脇部位よりも縦寸法の大きな断面形状で構成することで、前記吊下部材の枢着部位を中心とする弧状の膨出部が横架部材の上面部に形成され、
前記複数の被係止凹部の各々が、前記係止部材保持孔の下端部に前記係止部材が位置するときに係止部材との係止状態を現出するように、前記弧状の膨出部に切欠き形成されている点にある。
【００２５】
上記特徴構成によれば、使用時において横架部材の長手方向中央部位に吊下部材による上方側への引張荷重が生じ、且つ、横架部材の長手方向両端部位に物干し枠体による下方側への引張荷重が生じる関係上、横架部材に作用する曲げモーメント荷重が、長手方向中央部位と長手方向両端部位との３点が特に大きくなることに対し、前記横架部材の長手方向中間部位をそれに隣接する両脇部位よりも縦寸法の大きな断面形状で構成するから、曲げモーメント荷重が大きくなる３点に含まれる長手方向中央部位の強度を高めることができ、これにより、上下方向での引張荷重に対する横架部材の強度を効果的に得ることができる。
【００２６】
しかも、横架部材の強度を高めるための弧状の膨出部を活用する形態で、複数の被係止凹部の夫々について係止部材保持孔の下端部に前記係止部材が位置するときに係止部材と被係止凹部との係止状態を現出するから、吊下部材の姿勢の相違によって姿勢保持力に差異が生じるのを効率的に抑止することができる。
【発明を実施するための最良の形態】
【００２７】
［第１実施形態］
図１〜３は、屋内外において洗濯物などの被干物を干すために使用される合成樹脂製の物干し器１を示し、この物干し器１は、被干物を保持する物干し枠体２の枠部間に亘らせた横架部材７に、吊下フック４ａ、４ｂを備える吊下部材５が所定方向に沿って姿勢変更自在な状態で連結して構成されている。また、この物干し器１には、吊下部材５を前記姿勢変更範囲において所定姿勢に保持する姿勢保持手段６が設けられている。
【００２８】
前記物干し枠体２は、図３に示すように、後述する物干し姿勢において上面視による輪郭形状が略長方形状となる形態で構成されている。当該物干し枠体２の枠体長辺部２Ａの各々における内側近傍位置には、タオル等の比較的幅広の洗濯物を枠体長片部２Ａに架ける時に使用する洗濯物差込空間を枠体長片部２Ａとの間に形成する仕切片部２Ｃが形成されている。なお、２ａは、枠体長片部２Ａに架けられた洗濯物を枠体長片部２Ａとで挟持するクリップ部である。
【００２９】
また、物干し枠体２の枠体短片部２Ｂ及び前記仕切片部２Ｃの内周面の所定箇所には、被干物を脱着自在に吊り下げ支持するピンチ８を取り付けるためのピンチ取り付け孔２ｄを有する複数のピンチ取り付け片２ｂが突出形成されている。当該ピンチ取り付け片２ｂの各々には、図２に示すように、ピンチ吊下部材９を介してピンチ８の各々が遊着されている。
【００３０】
図２、図３に示すように、物干し枠体２は、略コの字状の一対の分割枠体３Ａ、３Ｂの開口端部どうしを一対の連結部材１０と横架部材７とで連結することにより、分割枠体３Ａ、３Ｂの各々が回動軸芯Ｘａ、Ｘｂ周りの約９０°の範囲で回動する形態で、下方側への屈曲が規制された状態で同一平面上に拡形した物干し姿勢（図２の実線表示）と、横架部材３を挟み込むように上方側に折り畳まれた収納姿勢（図３の一点鎖線表示）とに姿勢変更自在に構成されている。
【００３１】
分割枠体３Ａ、３Ｂの枠体長辺部形成片部３ａの端部には、図４に示すように、連結部材１０の端部を挿入した状態で連結部材１０に対して軸芯Ｘａ、Ｘｂ周りで回動自在に枢支連結するため連結凹部３ｄが構成されている。この連結凹部３ｄには、連結部材１０の両端部に形成された被連結孔部１０ａに回動自在に軸着する連結ピン部３ｅが突出形成されている。
【００３２】
枠体長辺部形成片部３ａどうしの連結構造は、図４に示すように、連結部材１０の長手方向端面に形成された第１規制面部１０ｂと枠体長辺部形成片部３ａの連結凹部３ｄの底面３ｆとの接当により、枠体長辺部形成片部３ａが前記物干し姿勢を構成する開き姿勢から下方側に回動するのが規制され（図４の実線表示）、且つ、連結部材１０の上端面に形成された第２規制面部１０ｃと枠体長辺部形成片部３ａの連結凹部３ｄの底面３ｆとの接当により、枠体長辺部形成片部３ａが前記収納姿勢を構成する閉じ姿勢から上方側に回動するのが規制される（図４の点線表示）ように構成されている。
【００３３】
また、図５に示すように、分割枠体３Ａ、３Ｂの仕切片部形成片部３ｃの端部には、横架部材７の長手方向両端部に形成した被連結片部７Ｂに対して軸芯Ｘａ、Ｘｂ周りで回動自在に枢支連結するための連結部３ｇが形成されている。前記連結部３ｇには、内向きに突出する連結ピン部３ｈと、その連結ピン部３ｈの外周面に突出形成した回動範囲規制片３ｊとが備えられている。
【００３４】
前記横架部材７の被連結片部７Ｂは、図５、図７に示すように、各仕切片部形成片部３ｃの連結ピン部３ｈが係入するための一対の被連結孔７ａを部材幅方向両外側に有する形態で、横架部材７における基部７Ａの長手方向両端部の下方部位の各々に突出形成されている。
【００３５】
また、前記被連結片部７Ｂには、分割枠体３Ａ、３Ｂの各々が開き姿勢にあるときに各仕切片部形成片部３ｃの回動範囲規制片３ｊと接当して分割枠体３Ａ、３Ｂの下方側への回動を規制する第１受止片部７ｂ（図５（ａ）を参照）と、分割枠体３Ａ、３Ｂの各々が閉じ姿勢にあるときに回動範囲規制片３ｊと接当して分割枠体３Ａ、３Ｂの上方側への回動を規制する第２受止片部７ｃ（図５（ｂ）を参照とが備えられている。
【００３６】
前記横架部材７は、図１、図３、図６、図７に示すように、それの基部７Ａが縦長断面形状の略薄帯状に構成されている。当該基部７Ａの長手方向中間部位の下方側には、前記吊下部材５を横軸芯Ｘ周りで揺動自在に枢支連結するための取り付け部材１１を軸着するための被取り付け孔７ｄが貫通形成されている。
【００３７】
この被取り付け孔７ｄの周縁部には、吊下部材５を揺動案内するための環状の揺動案内凹部７Ｄが設けられている。この揺動案内凹部７Ｄには、吊下部材１５の揺動範囲を規制するための第１、第２受止面部７ｅ、７ｆが備えられている。
【００３８】
また、前記基部７Ａの長手方向中間部位は、それに隣接する両脇部位よりも縦寸法の大きな断面形状で構成されている。そして、基部７Ａの長手方向中間部位の上面部には、横軸芯Ｘを中心とする弧状の膨出部７ｇが形成されている。
【００３９】
横架部材７の基部７Ａにおける吊下部材５の揺動方向で間隔を空けた各所定位置には、後述する係止部材１２に対する複数の被係止凹部（被係止部の一例）が切欠き形成（一体成形の一例）されており、本例では、吊下部材５を図１に示す垂直姿勢に保持するための第１被係止凹部７Ｅと、吊下部材５を図１１に示す約４５度傾斜した斜め姿勢に保持するための第２係止凹部７Ｆとが形成されている。
【００４０】
前記第１、第２被係止凹部７Ｅ、７Ｆの各々は、横軸芯Ｘを中心とする弧状膨出部７ｇに切欠き形成されており、後述する吊下部材５の係止部材保持孔５ｂの下端部に係止部材１２が位置するときに、係止部材１２と被係止凹部との係止状態を現出する。
【００４１】
各被係止凹部７Ｅ、７Ｆは、係止部材１２の円筒状部１２ａの上方からの進入で係止状態を現出するように上方向きに開口する形態で略半円状に構成されている。当該被係止凹部７Ｅ、７Ｆの開口寸法は、係止部材５の自重によって係止部材１２の円筒状部１２ａが上方から進入移動可能な開口寸法（具体的には、係止部材１２の円筒状部１２ａの直径ｗ２よりも僅かに大なる開口寸法）で構成されている。
【００４２】
なお、横架部材７の基部７Ａの下面には、ピンチ吊下部材９を介してピンチ８を取り付けるための複数のピンチ取り付け片７ｈが形成されている。
【００４３】
前記吊下部材５の上部には、図６、図８に示すように、吊下フック４ａ、４ｂを備えるフック部材４の下端に形成された連結ピン部４ｃを縦軸芯（吊下部材５の中心軸芯）Ｙ周りで回動自在に軸着するための被連結孔部５ａが形成されている。
【００４４】
また、吊下部材５の略下半分の領域は、横架部材７の基部７Ａを挿入状態で配置するための挿入空間を対向面間に形成する一対の側片部５Ａ、５Ａから構成されている。これら一対の側片部５Ａ、５Ａの下部の各々には、挿入空間内に配置した横架部材７の基部７Ａに対し取り付け部材１１によって横軸芯Ｘ周りで揺動自在に枢支連結するための被取り付け孔５ｃが貫通形成されている。
【００４５】
前記取り付け部材１１は、図６に示すように、吊下部材５の被取り付け孔５ｃに挿入配置される円筒状部１１ａと、吊下部材５の外面における被取り付け孔５ｃの周縁部に接当する形態で円筒状部１１ａの抜け落ちを抑止する一対の環状縁部１１ｂとから構成されている。当該取り付け部材１１は、横軸芯Ｘ方向から係合する二つの分割部材１１Ａ、１１Ｂの係合体をもって構成されている。
【００４６】
前記吊下部材５の各側片部５Ａの内面における被取り付け孔５ｃの周縁部には、図８に示すように、横架部材７の揺動案内凹部７Ｄに嵌り込む揺動案内凸部５ｅが突出形成されている。当該揺動案内凸部５ｅには、横架部材７の第１、第２受止面部７ｅ、７ｆとの接当により吊下部材５の揺動範囲を規制する揺動規制片５ｆが形成されている。
【００４７】
前記吊下部材５の上下中間部位（詳しくは、一対の側片部５Ａ、５Ａの上部の各々）には、係止部材１２の横移動を規制する状態で、且つ、係止部材１２の係脱操作用の縦移動を所定範囲内で許容する状態で係止部材１２を保持する縦長形状の係止部材保持孔５ｂが貫通形成されている。
【００４８】
前記係止部材１２は、前述した取り付け部材１１と同様の構成であり、図６に示すように、係止部材保持孔５ｂに挿入配置される円筒状部１２ａと、吊下部材５の外面における係止部材保持孔５ｂの周縁部に接当する形態で円筒状部１２ａの抜け落ちを抑止する一対の環状縁部１２ｂとから構成されている。当該係止部材１２は、横軸芯Ｘ方向から係合する二つの分割部材１２Ａ、１２Ｂの係合体をもって構成されている。
【００４９】
前記係止部材保持孔５ｂの横幅寸法ｗ１は、係止部材１２の自重による下方移動を許容する寸法で構成されており、具体的には、係止部材１２の円筒状部１２ａの直径寸法ｗ２よりも僅かに大なる横幅寸法で構成されている。
【００５０】
なお、５ｄは、物干し器１を使用する時に吊下部材５を掴み持つための掴持孔である。
【００５１】
つまり、この物干し器１は、吊下部材５の係止部材保持孔５ｂの内部で係止部材１２を縦方向に移動することで、係止部材１２の円筒状部１２ａが横架部材７の被係止凹部７Ｅ、７Ｆに係止した係止状態を現出して、所定の傾斜角度で吊下部材５の姿勢を保持することができる。
【００５２】
例えば、吊下部材５が鉛直姿勢に保持された状態（図９（ａ）の状態）から吊下部材５が斜め姿勢に保持された状態（図９（ｄ）の状態）に変更する場合の手順ついて詳しく説明する。
【００５３】
まず、図９の（ａ）の状態では、係止部材１２の円筒状部１２ａと横架部材７の被係止凹部７Ｅとが係止状態にあるため、図９（ｂ）に示すように、係止部材１２を係止部材保持孔５ｂ内で上動させて前記係止状態を解除する。このとき、吊下部材５は、前述した第１受止面部７ｅと揺動規制片５ｆとの接当により被係止凹部７Ｆ側とは反対側への揺動が規制されている。
【００５４】
次に、図９（ｃ）に示すように、吊下部材５を被係止凹部７Ｆの側に揺動させる。吊下部材５が、係止部材１２と被係止凹部７Ｆとが係止可能な位置まで揺動したとき、前述した第２受止面部７ｆと揺動規制片５ｆとの接当により吊下部材５の揺動が規制される。
【００５５】
そして、係止部材１２を離すと、係止部材１２が自重により係止部材保持孔５ｂの下端部まで自動的に下動し、係止部材１２の円筒状部１２ａと横架部材７の被係止凹部７Ｅとが係止状態となる（図９（ｄ）の状態）。
【００５６】
なお、吊下部材５が斜め姿勢に保持された状態（図９（ｄ）の状態）から吊下部材５が鉛直姿勢に保持された状態（図９（ａ）の状態）に変更する場合の手順ついても同様である。
【００５７】
前記フック部材４には、縦軸芯Ｙ上に位置する第１吊下フック４ａと、縦軸芯Ｙから横方向に位相ズレし、且つ、第１吊下フック４ａよりも下方に位相ズレした第２吊下フック４ｂとが備えられている。
【００５８】
前記第１吊下フック４ａは、図１に示すように、主として吊下部材５を鉛直姿勢にした状態で物干し竿１３に吊り下げる状態で使用する時に用いられる。また、第１吊下フック４ａは、図９に示すように、タンス等の引出し１４の上部に引っ掛ける状態で使用する時にも用いられる。この場合、物干し枠体２の外周面が引出し１４の正面板１４ａに当て付けられる形態で物干し枠体２が略水平の姿勢に保持される。
【００５９】
前記第２吊下フック４ｂは、図１０に示すように、吊下部材５を鉛直姿勢にした状態で内壁面Ｗよりも室内側に突出配置されたタオルバー１５などに吊り下げる状態で使用する時に用いられる。この場合も、物干し枠体２の外周面が内壁面Ｗに当て付けられる形態で物干し枠体２が略水平の姿勢に保持される。なお、４ｄは、物干し器１を使用する時にフック部材４を掴み持つための掴持孔である。
【００６０】
また、本実施形態において、係止部材１２、被係止凹部７Ｅ、７Ｆは、前記姿勢保持手段６を構成する。
【００６１】
［その他の実施形態］
（１）前述の実施形態では、吊下部材５が、略鉛直姿勢と約４５度傾斜した斜め姿勢の２段階の姿勢で姿勢保持可能に構成されている場合を例に示したが、例えば、略鉛直姿勢と複数の斜め姿勢の３段階以上の姿勢で姿勢保持可能に構成されていてもよい。
【００６２】
つまり、例えば、図１２に示すように、横軸芯Ｘから傾斜角度が第２係止凹部７Ｆとは異なる部位に第３係止凹部７Ｇが形成されていてもよい。
【００６３】
（２）前述の実施形態では、物干し枠体２が横架部材７を挟み込む状態で上方側に折り畳み可能に構成されている物干し器１を例に示したが、物干し枠体が折り畳み不能な一体成形品から構成されている物干し器であってもよい。
【００６４】
（３）物干し枠体２の折り畳み形態は、前述の実施形態で示した如き、２つの分割枠体３Ａ、３Ｂから構成されているものに限らず、３つ以上の分割枠体から構成されていてもよい。
【００６５】
（４）前述の実施形態では、姿勢保持手段６の具体的構成は、前述の実施形態で示した如き吊下部材５に備えられた係止部材１２と横架部材７に切欠き形成された被係止凹部７Ｅ、７Ｆから構成されたものに限らず種々の構成変更が可能であり、例えば、吊下部材５に係止凹部を形成するとともに、この係止凹部に所定姿勢で係合する被係合凸部を横架部材７に一体成形する構成などであってもよい。
【図面の簡単な説明】
【００６６】
【図１】本発明に係る物干し器の使用状態を示す側面図
【図２】本発明に係る物干し器の正面図
【図３】本発明に係る物干し器の説明斜視図
【図４】枠体長辺部の連結機構を示す説明断面図
【図５】仕切片部の連結機構を示す説明断面図（図３のＢ−Ｂ説明断面図）
【図６】図１のＡ−Ａ説明断面図
【図７】横架部材の側面図
【図８】吊下部材の説明断面図（図８のＣ−Ｃ説明断面図）
【図９】姿勢保持手段の操作説明図
【図１０】本発明に係る物干し器の使用状態を示す側面図
【図１１】本発明に係る物干し器の使用状態を示す側面図
【図１２】本発明に係る物干し器の別実施形態を示す部分側面図
【符号の説明】
【００６７】
１                物干し器
２                物干し枠体
４ａ、４ｂ        吊下フック
５                吊下部材
５ｂ              係止部材保持孔
６                姿勢保持手段
７                横架部材
７Ｅ、７Ｆ、７Ｇ  被係止凹部（被係止部）
７ｇ              膨出部
１２              係止部材
Ｘ                横軸芯
【図１】
2008301907.tif 000003
【図２】
2008301907.tif 000004
【図３】
2008301907.tif 000005
【図４】
2008301907.tif 000006
【図５】
2008301907.tif 000007
【図６】
2008301907.tif 000008
【図７】
2008301907.tif 000009
【図８】
2008301907.tif 000010
【図９】
2008301907.tif 000011
【図１０】
2008301907.tif 000012
【図１１】
2008301907.tif 000013
【図１２】
2008301907.tif 000014